(57)【特許請求の範囲】
【請求項１】
ソレノイドと、ソレノイドの中央に貫設される一端閉塞筒状のプランジャ収容部と、ソレノイドの電磁力によってプランジャ収容部内を摺動するプランジャと、プランジャの摺動に連動して開閉する弁体と、プランジャをプランジャ収容部の閉塞端側へ摺動させた際のプランジャと前記閉塞端との衝突音を緩和するパッド部と、パッド部のプランジャ摺動方向への移動を許容する空間部と、パッド部を弾性的に支持する弾性支持部とを備えた電磁弁において、
パッド部は、空間部内の空気をプランジャ収容部内へ排出する通気孔を有し、
前記通気孔は、空間部への水の浸入を防止し且つ空間部内の空気の出入を許容する透湿防水フィルムで覆われている、電磁弁。
【発明の詳細な説明】
【技術分野】
【０００１】
本発明は、電磁弁、特に、液体管路に組み込んで使用される電磁弁に関するものである。
【背景技術】
【０００２】
従来の電磁弁において、プランジャの後端に緩衝用のパッドを埋設したものが知られている（例えば、特許文献１参照）。
【０００３】
図５は、上記従来の電磁弁９を示す概略縦断面図であり、ソレノイド９１中央のプランジャ収容部９２内へ上下摺動可能な状態で挿通されたプランジャ９３の下端に、弁体９４が連結されている。弁体９４は、スプリング９５によってその下方の弁孔９６側へ弾性付勢されており、上記プランジャ９３をソレノイド９１の電磁力によって上方へ摺動させることで弁孔９６が開放される。
【０００４】
また、プランジャ９３の上端には、ゴム製の緩衝パッド９７が埋設されており、プランジャ９３を上端側へ摺動させた際、この緩衝パッド９７がプランジャ収容部９２上端の閉塞端側に設けたコア９８へ当接するように構成されている。これにより、プランジャ９３の上端とプランジャ収容部９２の閉塞端との衝突音が緩和される。
【先行技術文献】
【特許文献】
【０００５】
【特許文献１】特開２０００−２０５４３２号公報
【発明の概要】
【発明が解決しようとする課題】
【０００６】
しかしながら、上記従来のものでは、緩衝パッド９７がプランジャ９３の上端に固設されているため、プランジャ９３の上端とプランジャ収容部９２の閉塞端との間に水が浸入して凍結した場合、その凍結時の水の膨張によってプランジャ収容部９２の破損やプランジャ９３の変形等の故障を招く恐れがあった。
【０００７】
本発明は係る点に鑑みてなされたものであり、電磁弁において、プランジャとプランジャ収容部の閉塞端側との間隙へ浸入した水の凍結による故障を防止することを課題とする。
【課題を解決するための手段】
【０００８】
本発明に係る電磁弁は、
ソレノイドと、ソレノイドの中央に貫設される一端閉塞筒状のプランジャ収容部と、ソレノイドの電磁力によってプランジャ収容部内を摺動するプランジャと、プランジャの摺動に連動して開閉する弁体と、プランジャをプランジャ収容部の閉塞端側へ摺動させた際のプランジャと前記閉塞端との衝突音を緩和するパッド部と、パッド部のプランジャ摺動方向への移動を許容する空間部と、パッド部を弾性的に支持する弾性支持部とを備えた電磁弁であって、
パッド部は、空間部内の空気をプランジャ収容部内へ排出する通気孔を有し、
前記通気孔は、空間部への水の浸入を防止し且つ空間部内の空気の出入を許容する透湿防水フィルムで覆われているものである。
【０００９】
上記構成によれば、プランジャとプランジャ収容部の閉塞端側との間隙に水が浸入し、凍結した場合、パッド部が弾性移動してその凍結による水の膨張を吸収するから、プランジャ収容部やプランジャに過剰な負荷がかからない。
【００１１】
特に、このものでは、透湿防水フィルムを介して空間部内の空気の出入が可能であるから、パッド部がスムーズに移動する。また、上記空間部内へ水が浸入するのを防止できるから、空間部内で水が凍結してパッド部の弾性移動を阻害する恐れもない。従って、パッド部による安定した膨張吸収性能が発揮される。
【発明の効果】
【００１２】
本発明は、上記構成であるから次の特有の効果を有する。
【００１３】
プランジャとプランジャ収容部の閉塞端側との間隙で水が凍結しても、プランジャ収容部やプランジャに過剰な負荷がかからないから、プランジャ収容部の破損やプランジャの変形等の故障を防止できる。
【図面の簡単な説明】
【００１４】
【図１】本発明の実施の形態に係る電磁弁の概略縦断面図。
【図２】本発明の実施の形態に係る電磁弁のパッド部周辺の概略縦断面図。
【図３】本発明の他の実施形態に係る電磁弁のパッド部周辺の概略縦断面図。
【図４】本発明の他の実施形態に係る電磁弁のパッド部周辺の概略縦断面図。
【図５】従来の電磁弁の概略縦断面図。
【発明を実施するための形態】
【００１５】
次に、上記した本発明を実施するための形態について、添付図面を参照しながら詳述する。
【００１６】
図１に示すように、本発明の実施の形態に係る電磁弁１は、給湯システムや温水暖房システム等の湯水管路に組み込んで使用されるパイロット式の常開電磁弁であり、本体部１Ａと、電磁部１Ｂとで構成されている。
【００１７】
本体部１Ａの側部には、一次配管接続口１１が設けられており、この一次配管接続口１１から本体部１Ａ内部へ向かって上流側通路１１０が形成されている。一方、本体部１Ａの底部には、二次配管接続口１２が設けられており、この二次配管接続口１２から本体部１Ａ内部へ向かって下流側通路１２０が形成されている。
【００１８】
上流側通路１１０および下流側通路１２０は、主弁孔１３を介して繋がっており、上流側通路１１０へ供給された湯水は、この主弁孔１３を通って下流側通路１２０へ導かれる。
【００１９】
また、主弁孔１３の上部には、主弁孔１３を開閉する主弁１４が配設されている。この主弁１４は、可撓部１４１によって上方へ弾性付勢されており、後述するソレノイド２１へ通電していない状態では、主弁孔１３から離反した開位置で保持される。
【００２０】
主弁１４には、上流側通路１１０の水圧を主弁１４上部の空間（以下、「背圧室」という）１３０へ伝達するためのブリード孔１５と、上記背圧室１３０の水圧を下流側通路１２０へ逃がすためのパイロット弁孔１６とが設けられている。
【００２１】
また、パイロット弁孔１６の上部には、パイロット弁孔１６を開閉するパイロット弁１７が配設されている。このパイロット弁１７は、背圧室１３０の上方へ向かって延びる弁軸１８の下端に固設されており、スプリング１９によって上方へ弾性付勢されている。従って、後述するソレノイド２１へ通電していない状態では、パイロット弁孔１６から離反した開位置で保持される。
【００２２】
一方、電磁部１Ｂのケーシング２０内には、ソレノイド２１が収容されており、電気配線Ｌを通じて図示しない給湯システムや温水暖房システム等の制御部へ繋がっている。
【００２３】
ケーシング２０の中央には、上端が閉塞する筒状のガイドパイプ２２が貫設されている。ガイドパイプ２２の下端は、背圧室１３０の上部へ繋がっており、パイロット弁１７の弁軸１８は、このガイドパイプ２２内へ下方から挿通されている。
【００２４】
さらに、ガイドパイプ２２内には、磁性金属で形成された円柱状のプランジャ２３が上下に摺動可能な状態で収容されている。このプランジャ２３は、弁軸１８の上端へ当接しており、ソレノイド２１へ通電していない状態では、スプリング１９の弾性力によって押し上げられ、ガイドパイプ２２内の最上位に保持される。
【００２５】
そして、この状態でソレノイド２１へ通電した場合、上記プランジャ３３は、ソレノイド２１の電磁力によって下方へ摺動し、スプリング１９の付勢力に抗して弁軸１８を押し下げる。その結果、パイロット弁１７が主弁１４へ当接してパイロット弁孔１６を閉塞し、さらには、背圧室１３０の水圧がブリード孔１５を介して伝達される上流側通路１１０の水圧によって上昇し、主弁１４が可撓部１４１の付勢力に抗して開位置から押し下げられて、主弁孔１３を閉塞する。これにより、上流側通路１１０から下流側通路１２０への通水が遮断される。
【００２６】
また、プランジャ２３の上端には、凹部２４が形成されており、この凹部２４の上域には、天然ゴムや合成ゴム等の弾性材料によって形成された緩衝パッド２５が嵌挿されている。
【００２７】
一方、ガイドパイプ２２上端の閉塞壁２２１の下面には、突起２６が形成されており、プランジャ２３がガイドパイプ２２内の最上位で保持された状態において、この突起２６が緩衝パッド２５の上面へ当接するように構成されている。
【００２８】
従って、ソレノイド２１への通電を停止し、プランジャ２３がスプリング１９の弾性力によってガイドパイプ２２の上端側へ押し上げられた場合、そのプランジャ２３と上記閉塞壁２２１との衝突音や衝撃が、緩衝パッド２５によって緩和される。
【００２９】
尚、プランジャ２３がガイドパイプ２２の上端側へ押し上げられた際、パイロット弁１７は、主弁１４から離反してパイロット弁孔１６を開放する。すると、背圧室１３０の水圧がパイロット弁孔１６を介して下流側通路１２０へ逃げ、主弁１４が可撓部１４１の付勢力によって押し上げられて、主弁孔１３を開放する。これにより、上流側通路１１０から下流側通路１２０への通水が再開される。
【００３０】
図２に示すように、緩衝パッド２５は、上下動可能な状態で且つ凹部２４の上域全体を覆うように配設されている。また、緩衝パッド２５は、その下面に一体形成された断面略弓状の可撓部２７によって上方へ弾性付勢された状態で支持されており、その緩衝パッド２５の下面と凹部２４の底面との間に所定の空間（以下、「空気室」という）２４０を形成している。
【００３１】
従って、ガイドパイプ２２上端の閉塞壁２２１と緩衝パッド２５との間に浸入した水が凍結して膨張すれば、緩衝パッド２５全体が下方へ弾性移動し、その膨張を吸収する。
【００３２】
また、緩衝パッド２５には、複数の通気孔２８が形成されている。これら通気孔２８の上面側は、空気を通して水を通さない微多孔性フィルム、所謂、透湿防水フィルム２９で覆われており、空気室２４０内の空気の出入を許容するとともに、空気室２４０への水の浸入を防止している。
【００３３】
従って、閉塞壁２２１と緩衝パッド２５との間に浸入した水が凍結膨張すれば、空気室２４０内の空気が通気孔２８から透湿防水フィルム２９を介して排出され、緩衝パッド２５全体が下方へスムーズに弾性移動する。さらに、閉塞壁２２１と緩衝パッド２５との間に水が浸入しても、空気室２４０内には浸入しないから、空気室２４０内で水が凍結して緩衝パッド２５の弾性移動を阻害する恐れもない。
【００３４】
このように、上記実施の形態によれば、ガイドパイプ２２上端の閉塞壁２２１とプランジャ２３上端の緩衝パッド２５との間に浸入した水が凍結膨張しても、緩衝パッド２５が閉塞壁２２１から離反する方向（下方）へ弾性移動し、その膨張を吸収するから、ガイドパイプ２２やプランジャ２３へ過剰な負荷がかからない。これにより、ガイドパイプ２２の破損やプランジャ２３の変形等の故障を防止できる。
【００３５】
また、緩衝パッド２５全体がその下方へスムーズに弾性移動するとともに、空気室２４０内で水が凍結して緩衝パッド２５の弾性移動を阻害する恐れもないから、緩衝パッド２５による安定した応力吸収性能が発揮される。これにより、ガイドパイプ２２の破損やプランジャ２３の変形等を一層確実に防止できる。
［その他］
尚、上記実施の形態では、緩衝パッド２５の下面に可撓部２７を一体形成し、この可撓部２７によって緩衝パッド２５を弾性支持するように構成したが、図３に示すように、上記可撓部２７に代えて、緩衝パッド２５と凹部２６底面との間にバネ３７を配設し、このバネ３７によって緩衝パッド２５を弾性支持するように構成しても良い。
【００３６】
また、上記実施の形態では、プランジャ２３の上端に緩衝パッド２５を設けたが、図４に示すように、ガイドパイプ２２上端の閉塞壁２２１の下面側に緩衝パッド２５を設け、その緩衝パッド２５の上面と閉塞壁２２１の下面との間に空気室２４０を形成し、緩衝パッド２５の上面に形成した可撓部２７によって緩衝パッド２５を下方へ弾性付勢した状態で支持するように構成したものであっても良い。
【符号の説明】
【００３７】
１・・・電磁弁
１１０・・・上流側通路
１２０・・・下流側通路
１３・・・主弁孔
１４・・・主弁（弁体）
１９・・・スプリング
２１・・・ソレノイド
２２・・・ガイドパイプ（プランジャ収容部）
２２１・・・閉塞壁（閉塞端）
２３・・・プランジャ
２４・・・凹部
２４０・・・空気室（空間部）
２５・・・緩衝パッド（パッド部）
２７・・・可撓部（弾性支持部）
２８・・・通気孔
２９・・・透湿防水フィルム
【図１】
0005489772.tif 000002
【図２】
0005489772.tif 000003
【図３】
0005489772.tif 000004
【図４】
0005489772.tif 000005
【図５】
0005489772.tif 000006